(57)【要約】【課題】簡単な構造で信頼性のある電磁シールドを達成可能な扉付き筐体を提供することである。【解決手段】扉付き筐体であって、前面側開口と、該開口に臨んだ側面に平行なガスケット圧接部を有する筐体と、該筐体の前面側開口に対して開閉自在に筐体に取り付けられ、内側外周部に扉面に対して垂直に立ち上がった取付部を有する扉と、前記取付部に取り付けられた導電性中空シールドガスケットと、前記導電性中空シールドガスケット中に流体を注入可能なように前記扉に取り付けられ、扉前面に突き出た回転可能なハンドルを有する流体注入機構とを具備し、前記扉を閉めた状態で前記ハンドルを回転させて前記導電性中空シールドガスケット中に流体を注入することにより、該中空シールドガスケットを前記ガスケット圧接部に圧接させて電磁シールドするように構成する。【選択図】図５
2005276880.tif 000002
【特許請求の範囲】
【請求項１】
前面側開口と、該開口に臨んだ側面に平行なガスケット圧接部を有する筐体と、
該筐体の前面側開口に対して開閉自在に筐体に取り付けられ、内側外周部に扉面に対して垂直に立ち上がった取付部を有する扉と、
前記取付部に取り付けられた導電性中空シールドガスケットと、
前記導電性中空シールドガスケット内に流体を注入可能なように前記扉に取り付けられ、扉前面に突き出た回転可能なハンドルを有する流体注入機構とを具備し、
前記扉を閉めた状態で前記ハンドルを回転させて前記導電性中空シールドガスケット中に流体を注入することにより、該中空シールドガスケットを前記ガスケット圧接部に圧接させて電磁シールドすることを特徴とする扉付き筐体。
【請求項２】
前記筐体は前記ガスケット圧接部を底面とする断面概略Ｕ形状の溝を有しており、
前記導電性中空シールドガスケット中に流体を注入すると、該シールドガスケットが前記溝中で膨らんで前記ガスケット圧接部に圧接されるとともに溝中で係止されることにより、前記扉をロック可能なことを特徴とする請求項１記載の扉付き筐体。
【請求項３】
開閉可能な扉を備えた筐体において、
該扉は、
扉を閉じた状態で、該筐体の導体部分と向き合う部分に設けられた導電性中空シールドガスケットと、
開閉用の操作部における操作により、扉を閉じた状態で、前記導電性中空シールドガスケット内に気体又は液体を注入する手段とを備え、
前記筐体は、前記気体又は液体を注入されることで、膨らんだ前記導電性中空シールドガスケットと係合することで、扉が開くことを規制する係合部を備えた、
ことを特徴とするシールド機能付き筐体。
【発明の詳細な説明】
【技術分野】
【０００１】
本発明は、シールド機能を有する扉付き筐体に関する。
【背景技術】
【０００２】
図１を参照すると、扉を開けた状態の従来のラックのシールド構造の斜視図が示されている。図２は扉を閉めた状態の従来のシールド構造断面図である。シールドラック２は開口４ａを有する筐体４と、筐体４の前面開口側に開閉可能に取り付けられた扉６とから構成される。
【０００３】
扉６にはロッドガイド１２に案内されて一対のロッド８，１０が上下動可能に取り付けられている。図２に示すように、筐体４にはロッド８，１０が係合するロッド係合穴１６，１８が形成されている。
【０００４】
扉６にはハンドル２０が回転可能に取り付けられており、ハンドル２０の根元部分に連結されたシャフトの先端には図示しないピニオンが固定されている。このピニオンにロッド８，１０に形成されたラックが噛み合う構成となっている。ハンドル２０のシャフトには止金２２が固定されている。
【０００５】
図１に示した扉６を開けた状態では、ロッド８，１０の先端は扉６から僅かばかり突き出た状態となっており、扉６は筐体４に対して開閉可能である。扉６を閉めて、ハンドル２０を右又は左に回転させるとピニオンが回転し、ピニオンの回転に応じてロッド８が上昇し、ロッド１０が下降する。
【０００６】
その結果、ロッド８がロッド係合穴１６に係合し、ロッド１０がロッド係合穴１８に係合する。更に、止金２２が筐体４に設けた止金係止部に係止されるため、扉６は筐体４に対して３点で固定される。この時、筐体４に取り付けられたシールド１４が扉６に圧接されるため、ラック２は電磁的にシールドされる。
【０００７】
シールドガスケットとしては、図３（Ａ）に示すようなチューブ状シールドガスケット１４を使用可能である。このシールドガスケット１４は、シリコーンゴム等からなるチューブにステンレス等からなるシールド網を組み込んで構成される。
【０００８】
シールドガスケット１４の差込部１５を筐体４に設けられたガスケット固定穴２３に差し込むことにより、シールドガスケット１４が筐体４に取り付けられる。図３（Ｂ）は筐体４に対して扉６を閉めた状態を示しており、扉６がガスケット１４を押し付けることにより、電磁シールドが達成される。
【０００９】
シールドガスケットとしては、図４（Ｂ）に示すようなＶ型シールドガスケット１４´も使用可能である。このシールドガスケット１４´は、ポリウレタン等から形成されたＶ形状ガスケットにシールド布を組み込んで構成され、両面粘着テープを使用して筐体４に固定される。
【００１０】
シールドガスケット１４又は１４´が取り付けられる筐体４の取付面５は、筐体４の塗装時にマスキングを施して金属面が露出した状態となっている。図４（Ｂ）に示すように、扉６を閉めるとシールドガスケット１４´が扉６に圧接し、電磁シールドが達成される。
【特許文献１】特開平７−５０４９５号公報
【発明の開示】
【発明が解決しようとする課題】
【００１１】
上述した従来のラックのシールド構造では、いずれのシールドガスケット１４，１４´を使用した場合にも、ある程度の押し付け力が必要であり、その反発力を抑えて扉の撓みを防止するため、ロッド８，１０及び止金２２が必要不可欠であった。そのため、コスト高及び扉の重量が増加するという問題がある。
【００１２】
また、ハンドルの回転に伴い止金が連動して回転するが、止金と筐体に設けられた止金係止部との嵌合時に金属粉が発生し、ラックに搭載された通信装置の回路へこの金属粉が飛散してショートの恐れがある。
【００１３】
本発明は、このような点に鑑みてなされたものであり、その目的とするところは、簡単な構造で信頼性のある電磁シールドを達成可能なラックのシールド構造を提供することである。
【課題を解決するための手段】
【００１４】
本発明によると、前面側開口と、該開口に臨んだ側面に平行なガスケット圧接部を有する筐体と、該筐体の前面側開口に対して開閉自在に筐体に取り付けられ、内側外周部に扉面に対して垂直に立ち上がった取付部を有する扉と、前記取付部に取り付けられた導電性中空シールドガスケットと、前記導電性中空シールドガスケット内に流体を注入可能なように前記扉に取り付けられ、扉前面に突き出た回転可能なハンドルを有する流体注入機構とを具備し、前記扉を閉めた状態で前記ハンドルを回転させて前記導電性中空シールドガスケット中に流体を注入することにより、該中空シールドガスケットを前記ガスケット圧接部に圧接させて電磁シールドすることを特徴とする扉付き筐体が提供される。
【００１５】
好ましくは、筐体はガスケット圧接部をその底面とする該略Ｕ形状の溝を有している。扉を閉めて、シールドガスケット中に流体を注入してシールドガスケットを膨張させると、シールドガスケットがＵ形状の溝の壁面に係合するため、扉を閉めたままで保持することができる。
【００１６】
本発明の他の側面によると、開閉可能な扉を備えた筐体において、該扉は、扉を閉じた状態で、該筐体の導体部分と向き合う部分に設けられた導電性中空シールドガスケットと、開閉用の操作部における操作により、扉を閉じた状態で、前記導電性中空シールドガスケット内に気体又は液体を注入する手段とを備え、前記筐体は、前記気体又は液体を注入されることで、膨らんだ前記導電性中空シールドガスケットと係合することで、扉が開くことを規制する係合部を備えた、ことを特徴とするシールド機能付き筐体が提供される。
【発明の効果】
【００１７】
請求項１記載の発明によると、流体を導電性中空シールドガスケット中に注入することにより中空シールドガスケットを膨らませ、筐体の側面に平行に設けられたガスケット圧接部に圧接させて電磁シールドを達成することができる。よって、シールドガスケット圧接の反力は扉を開く方向に作用することがないため、扉の撓みを防止して信頼性の高い電磁シールドを達成することができる。
【００１８】
請求項２記載の発明によると、膨張した中空シールドガスケットがＵ形状の溝を画成する壁面に係合するため、特別なロック部材を設けることなく扉を閉めた状態で保持することができる。
【発明を実施するための最良の形態】
【００１９】
図５を参照すると、本発明実施形態に係る扉構造の斜視図が示されている。扉２６は鉄等の金属から形成されており、複数のヒンジ２８により図１に示した筐体４に開閉自在に取り付けられる。
【００２０】
扉２６の内側外周部には扉面に対して垂直に立ち上がったガスケット取付部３０が一体的に形成されている。ガスケット取付部３０は複数のガスケット固定穴３２を有している。
【００２１】
３４は導電性中空シールドガスケットであり、例えば図３（Ａ）に示したシールドガスケット１４と同様な構造を有している。シールドガスケット３４の差込部３６をガスケット固定穴３２に挿入することにより、シールドガスケット３４は扉２６のガスケット取付部３０に取り付けられる。
【００２２】
扉２６は矩形状開口３８を有しており、この開口３８に流体注入機構４０が複数のネジ９６で取り付けられる。流体注入機構４０は、図６に示したハンドルアセンブリ４２と、図８に示したシリンダーアセンブリ４４を含んでいる。
【００２３】
図６を参照して、ハンドルアセンブリ４２について説明する。ハンドル５４はその一端に固定されたシャフト５６を有しており、シャフト５６の先端にはピニオン取付部５８が設けられている。ハンドルアセンブリ本体４６はハンドル５４のシャフト５６が挿入されるシャフト穴４８を有している。
【００２４】
ハンドルアセンブリ本体４６の四隅には、ハンドルアセンブリ４２を扉２６に固定するためのネジ穴５０が形成されている。ハンドルアセンブリ本体４６は更に、シリンダーアセンブリ４４固定用の２個のネジ穴５２を有している。
【００２５】
ハンドル５４のシャフト５６をハンドルアセンブリ本体４６のシャフト穴４８に挿入し、ワッシャー６２を挟んでピニオン６０をネジ６４によりシャフト５６の先端に形成されたピニオン取付部５８に固定する。ハンドルアセンブリ本体４６の表側には、図７に示すようにハンドル格納用の溝４７が形成されている。
【００２６】
次に、図８を参照して、シリンダーアセンブリ４４の構造について説明する。シリンダー本体６８は円筒状のシリンダー室７０を画成している。ラック７２はピニオン６０の歯が噛み合う複数の穴７４を有しており、その先端部にはピン穴７５が形成されている。
【００２７】
７６はピストンであり、その外周部にフッ素ゴム等から形成されたピストン用密封リング８２が装着される。図１０の底面側斜視図に示すように、ピストン７６にはそれぞれラック固定用ピン穴７９を有する一対のラック取付部７８が一体的に形成されている。
【００２８】
ラック７２の先端をピストン７６の一対のラック取付部７８の間に挿入し、ピン８０をピン穴７５，７９に挿入することにより、ラック７２がピストン７６に取り付けられる。
【００２９】
ラック７２が取り付けられたピストン７６をシリンダー本体６８のシリンダー室７０に矢印Ａに示すように挿入し、蓋８６を蓋用ネジ８４に螺合することにより、シリンダー室７０を密封する。
【００３０】
図９に示すように、シリンダー本体６８にはラックガイド用穴９０と、ラックガイド用溝９２と、ピニオン逃げ用溝９４が形成されている。ピニオン６０の歯がラック７２に形成した穴７４に噛み合い可能なように、シリンダー本体６８をネジ８８によりハンドルアセンブリ本体４６にネジ止め固定する。これにより、ピニオン６０が回転すると、ラック７２に連結されたピストン７６がシリンダー室７０内を上下動する。
【００３１】
次に、図１１及び図１２を参照して、上述したように構成された本発明実施形態の作用について説明する。図１１は流体を中空シールドガスケット３４に注入する前の状態を、図１２は流体注入機構４０を作動して流体を中空シールドガスケット３４中に注入した後の状態をそれぞれ示している。
【００３２】
シリンダー本体６８のシリンダー室７０内には空気等の気体又は水等の液体が充填されている。本明細書及び請求項では、気体及び液体を総称して流体と称する。図１１（Ａ）に示すように、シリンダー本体６８に固定した接続口１００に中空シールドガスケット３４を挿入し、図１２（Ａ）に示すように、ガスケット固定金具９８で接続部分を締め付ける。
【００３３】
本実施形態の筐体４には、図１１（Ｂ）に示すように、筐体４の側面に平行なガスケット圧接部１０２が形成されている。図１１（Ｂ）は筐体４に対して扉２６を閉めた状態を示しており、中空シールドガスケット３４は筐体４のガスケット圧接部１０２から離れた状態となっている。
【００３４】
この状態から、ハンドル５４を反時計回りに回転させると、ピニオン６０も同一方向に回転する（図１２（Ａ）ではピニオン６０を扉２６の裏側から見ているため、ピニオン６０は時計回り方向に回転する）。尚、本例ではハンドル５４を反時計回りで説明しているが、シリンダーアセンブリの配置を工夫することで、時計回りも可能である。
【００３５】
ピニオン６０の回転に応じて、ラック７２が上昇し、ピストン７６はシリンダー室７０中の流体を中空シールドガスケット３４中に注入する。流体が十分注入されると、中空シールドガスケット３４は図１２（Ｂ）に示すように膨張し、Ｐ点で筐体４のガスケット圧接部１０２に圧接し、Ｑ点で扉２６に圧接する。これにより、筐体４の電磁シールドが達成される。
【００３６】
ピストン７６の１回のストロークでは中空シールドガスケット３４中に十分な量の流体を注入できない場合には、ハンドル５４を元に戻して複数回流体注入ステップを繰り返す。この場合には、シリンダー本体６８に取り付けられた接続口１００及びシリンダー室７０の一部に逆止弁等の弁を設ける必要がある。
【００３７】
中空シールドガスケット３４中に十分な量の流体の注入が完了した後には、図１３に示すようにハンドル５４をハンドル格納用溝４７中に格納する。これにより、ハンドル５４の回転が防止されるため、中空シールドガスケット３４中に注入された流体はガスケット中に保持される。
【００３８】
図１４は中空ガスケット３４中に流体を注入することにより、扉２６を閉めた状態でロック可能な構造を示している。本実施形態では、筐体４のガスケット圧接部１０２を底辺とする概略Ｕ形状の溝１０４が筐体４に形成されている。
【００３９】
図１４（Ａ）に示すように、中空シールドガスケット３４は潰れた形状に成形されているため、扉２６をスムーズに閉めることができる。図１４（Ｂ）は扉２６を閉めた状態を示している。
【００４０】
この状態で、ハンドル５４を反時計回り方向に回転させてシールドガスケット３４中に流体を注入すると、シールドガスケット３４が注入された流体により膨張し、シールドガスケット３４が筐体４側のＵ形状溝１０４及び扉２６側の溝１０６に喰い込むため、扉２６は閉じた状態で保持される。
【００４１】
本発明は以下の付記を含む。
（付記１）
前面側開口と、該開口に臨んだ側面に平行なガスケット圧接部を有する筐体と、
該筐体の前面側開口に対して開閉自在に筐体に取り付けられ、内側外周部に扉面に対して垂直に立ち上がった取付部を有する扉と、
前記取付部に取り付けられた導電性中空シールドガスケットと、
前記導電性中空シールドガスケット内に流体を注入可能なように前記扉に取り付けられ、扉前面に突き出た回転可能なハンドルを有する流体注入機構とを具備し、
前記扉を閉めた状態で前記ハンドルを回転させて前記導電性中空シールドガスケット中に流体を注入することにより、該中空シールドガスケットを前記ガスケット圧接部に圧接させて電磁シールドすることを特徴とする扉付き筐体。
（付記２）
前記筐体は前記ガスケット圧接部を底面とする断面概略Ｕ形状の溝を有しており、
前記導電性中空シールドガスケット中に流体を注入すると、該シールドガスケットが前記溝中で膨らんで前記ガスケット圧接部に圧接されるとともに溝中で係止されることにより、前記扉をロック可能なことを特徴とする付記１記載の扉付き筐体。
（付記３）
前記流体注入機構は、
前記ハンドルと、
該ハンドルに連結されたピニオンと、
該ピニオンに噛み合うラックを有し、該ラックがピストンに連結され、シリンダー室が前記導電性中空シールドガスケットに接続されたシリンダーアセンブリとから構成されることを特徴とする付記１記載の扉付き筐体。
（付記４）
開閉可能な扉を備えた筐体において、
該扉は、
扉を閉じた状態で、該筐体の導体部分と向き合う部分に設けられた導電性中空シールドガスケットと、
開閉用の操作部における操作により、扉を閉じた状態で、前記導電性中空シールドガスケット内に気体又は液体を注入する手段とを備え、
前記筐体は、前記気体又は液体を注入されることで、膨らんだ前記導電性中空シールドガスケットと係合することで、扉が開くことを規制する係合部を備えた、
ことを特徴とするシールド機能付き筐体。
【図面の簡単な説明】
【００４２】
【図１】従来のラックのシールド構造を示す扉を開いた状態の斜視図である。
【図２】扉を閉じた状態の従来のシールド構造断面図である。
【図３】チューブ型シールドガスケットを示す図である。
【図４】Ｖ型シールドガスケットを示す図である。
【図５】本発明実施形態の扉構造を内面側から見た斜視図である。
【図６】ハンドルアセンブリの分解斜視図である。
【図７】ハンドルアセンブリ本体の表面側斜視図である。
【図８】シリンダーアセンブリの分解斜視図である。
【図９】シリンダー本体の斜視図である。
【図１０】ピストンの底面側斜視図である。
【図１１】流体注入前の状態を示す図である。
【図１２】流体を注入した状態を示す図である。
【図１３】ハンドルロック状態を示す図である。
【図１４】流体注入による扉のロック構造を示す図である。
【符号の説明】
【００４３】
２    ラック
４    筐体
６，２６    扉
３０    ガスケット取付部
３４    中空シールドガスケット
４０    流体注入機構
４２    ハンドルアセンブリ
４４    シリンダーアセンブリ
５４    ハンドル
６０    ピニオン
７２    ラック
７６    ピストン
１０２    ガスケット圧接部
【図１】
2005276880.tif 000003
【図２】
2005276880.tif 000004
【図３】
2005276880.tif 000005
【図４】
2005276880.tif 000006
【図５】
2005276880.tif 000007
【図６】
2005276880.tif 000008
【図７】
2005276880.tif 000009
【図８】
2005276880.tif 000010
【図９】
2005276880.tif 000011
【図１０】
2005276880.tif 000012
【図１１】
2005276880.tif 000013
【図１２】
2005276880.tif 000014
【図１３】
2005276880.tif 000015
【図１４】
2005276880.tif 000016